(57)【要約】【課題】良好な操作性を確保しつつ小型化を実現すると共に、光量の調節を行うこと。【解決手段】光源として用いられるＬＥＤ素子６が実装されると共に抵抗パターン４及び配線パターン５が形成されたプリント配線基板２と、このプリント配線基板２上の抵抗パターン４と配線パターン５とを接続する端子７を下面に備えるランプカバー３とを備える。ランプカバー３に対する回転操作に応じて回路中の抵抗値を変化させることで、ＬＥＤ素子６に印加される電圧を変化させ、ＬＥＤ素子６における光量を変化させる。【選択図】図１
2006302512.tif 000002
【特許請求の範囲】
【請求項１】
光源として用いられるＬＥＤ素子と、回転可能に設けられたランプカバーと、前記ランプカバーの回転に応じて前記ＬＥＤ素子に印加される電圧を変化させる電圧可変手段と、を具備することを特徴とするランプユニット。
【請求項２】
前記電圧可変手段は、前記ＬＥＤ素子に直接又は間接的に接続される抵抗と、前記抵抗に接触する接点とを備え、前記ランプカバーの回転に応じて前記抵抗に対する前記接点の接触位置を変更することで前記ＬＥＤ素子に印加される電圧を変化させることを特徴とする請求項１記載のランプユニット。
【請求項３】
前記ランプカバーに対向配置され、前記ＬＥＤ素子、抵抗及び接点のいずれか又はいずれか２つの組合せを保持する保持部材を具備することを特徴とする請求項２記載のランプユニット。
【請求項４】
前記ランプカバーは、前記ＬＥＤ素子、抵抗及び接点のいずれか又はいずれか２つの組合せを前記保持部材に向けて保持することを特徴とする請求項３記載のランプユニット。
【請求項５】
前記保持部材は、プリント基板で構成されることを特徴とする請求項３又は請求項４記載のランプユニット。
【請求項６】
前記保持部材は、前記抵抗が抵抗パターンとして印刷されたフィルムが転写された筐体で構成されることを特徴とする請求項３又は請求項４記載のランプユニット。
【発明の詳細な説明】
【技術分野】
【０００１】
本発明は、ランプユニットに関し、特に、光源としてＬＥＤ素子を利用するランプユニットに関する。
【背景技術】
【０００２】
従来、車両室内には、各種の室内灯が配設されている。このような車両用室内灯は、限られた室内空間を有効に活用するために小型化が要請されると共に、車両運転者が操作する必要があることから操作性も要請され、また、安全に継続して使用可能であることも当然に要請される。このような要請に対応するため、接点から電球が外れないようにして安全な使用を確保すると共に、断熱板を設けて電球の発熱による影響を受けないようにして本体ケースの小型化を確保するランプが提案されている（例えば、特許文献１参照）。
【０００３】
このような車両用室内灯におけるランプは、一般に、筐体、バルブ電球、ランプカバー（レンズ）、プリント回路基板（ＰＣＢ）及びコネクタなどで構成され、その点灯制御は一般にバルブ電球の近傍に設けられたスイッチのオン／オフを切り替えることで行われる。また、ランプカバー自体を押し込み、筐体内に設けられたスイッチのオン／オフを切り替えることで点灯制御を行うものも知られている。
【特許文献１】特開２００１−１０５９７２号公報
【発明の開示】
【発明が解決しようとする課題】
【０００４】
しかしながら、従来の車両用室内灯においては、光源として用いられるバルブ電球の寿命が短いため、当該車両を長期間使用する場合には交換が必要となる。また、点灯時における発熱量が大きいことから、ランプカバーが過度に加熱されることを回避するため、バルブ電球とランプカバーとの間隔を十分に確保する必要がある。
【０００５】
一方、車両室内で必要とする光量は、室内で行う行為や室内に居る人の状態などに応じて変化する。例えば、車両室内で睡眠を取っている人がいる状況下において探し物などを行う場合、室内灯による光量は最低限のものがあれば良い。しかしながら、従来の車両用室内灯においては一種類の光量でしか室内を照明することができないのが実情である。
【０００６】
本発明はかかる点に鑑みてなされたものであり、良好な操作性を確保しつつ小型化を実現すると共に、光量の調節を行うことができるランプユニットを提供することを目的とする。
【課題を解決するための手段】
【０００７】
本発明のランプユニットは、光源として用いられるＬＥＤ素子と、回転可能に設けられたランプカバーと、前記ランプカバーの回転に応じて前記ＬＥＤ素子に印加される電圧を変化させる電圧可変手段と、を具備する構成とした。
【０００８】
このように構成されたランプユニットによれば、ＬＥＤ素子を光源として用いると共に、ランプカバーの回転に応じてＬＥＤ素子に印加される電圧を変化させることから、従来、光源としてバルブ電球が用いられていた際に必要となった交換作業の機会を低減できる。また、光源からの発熱量が低減されるので、ランプカバーとの距離を短縮すると共に、ランプカバーを直接触って操作することが可能となる。このため、ランプユニット自体の小型化を図ると共に、別途設けられたスイッチを操作するよりも感覚的な操作を行うことが可能となる。さらに、ランプカバーの回転に応じてＬＥＤ素子の光量を変化させることができるので、使用者の必要に応じた光量で照明することが可能となる。
【０００９】
また、本発明のランプユニットにおいて、電圧可変手段は、ＬＥＤ素子に直接又は間接的に接続される抵抗及びこの抵抗に接触する接点を備え、ランプカバーの回転に応じて抵抗に対する接点の接触位置を変更することでＬＥＤ素子に印加される電圧を変化させる。これにより、ランプカバーの回転に応じてＬＥＤ素子に印加される電圧を変化させるので、ランプカバーを回転操作して容易にＬＥＤ素子における光量を変化させることが可能となる。
【００１０】
また、本発明のランプユニットは、ランプカバーに対向配置され、ＬＥＤ素子、抵抗及び接点のいずれか又はいずれか２つの組合せを保持する保持部材を具備する構成を採る。この構成によれば、ランプカバーに対向配置される保持部材で、ＬＥＤ素子、抵抗及び接点のいずれか又はいずれか２つの組合せをするので、保持部材が保持する要素以外の要素をランプカバーで保持することで、ランプカバーの回転に応じてＬＥＤ素子に印加される電圧を簡単に変化させることが可能となる。
【００１１】
また、本発明のランプユニットにおいて、ランプカバーは、ＬＥＤ素子、抵抗及び接点のいずれか又はいずれか２つの組合せを保持部材に向けて保持する構成を採る。この構成によれば、ランプカバーでＬＥＤ素子、抵抗及び接点のいずれか又はいずれか２つの組合せを保持部材に向けて保持するので、ランプカバーが保持する要素以外の要素を保持部材で保持することで、ランプカバーの回転に応じてＬＥＤ素子に印加される電圧を簡単に変化させることが可能となる。
【００１２】
なお、本発明のランプユニットにおいて、保持部材を、プリント基板で構成することで、ＬＥＤ素子、抵抗及び接点のいずれか又はいずれか２つの組合せを簡単に実装又は形成することが可能となる。また、保持部材を、抵抗が抵抗パターンとして印刷されたフィルムが転写された筐体で構成することで、ＬＥＤ素子、抵抗及び接点のいずれか又はいずれか２つの組合せを簡単に実装又は形成することが可能となる。特に、抵抗の形成が容易となる。
【００１３】
特に、本発明のランプユニットは、車両用室内灯に好適に用いられる。すなわち、本発明のランプユニットは、ＬＥＤ素子を光源として用いると共に、ランプカバーの回転に応じてＬＥＤ素子に印加される電圧を変化させることから、車両用室内灯に要求される、交換作業の機会の低減、ユニット自体の小型化、良好な操作性を実現すると共に、光量の調節を行うことが可能であるため、車両用室内灯に好適である。
【発明の効果】
【００１４】
本発明に係るランプユニットによれば、良好な操作性を確保しつつ小型化を実現すると共に、光量の調節を行うことができるランプユニットを提供することが可能となる。
【発明を実施するための最良の形態】
【００１５】
以下、本発明の一実施の形態について添付図面を参照して詳細に説明する。例えば、本発明に係るランプユニットは、車両用室内灯に好適に用いられる。
【００１６】
図１及び図２は、本発明の実施の形態に係るランプユニット１の構造の一例を示す図であり、図１は、ランプユニット１のランプカバーを取り付ける前の状態について示し、図２は、ランプユニット１のランプカバーを取り付けた後の状態について示している。
【００１７】
図１に示すように、本実施の形態に係るランプユニット１は、所定位置にＬＥＤ素子、抵抗及び配線が配置されたプリント配線基板（以下、「基板」という）２と、この基板２に向けて取り付けられた端子を備えるランプカバー３と、基板２及びランプカバー３を支持する筐体（図示せず）を組み合わせて構成されている。なお、後述するように、ランプカバー３を基板２に対して回転可能に取り付けることができれば良く、筐体は必ずしも必要な構成要素ではない。
【００１８】
基板２には、予め定められた抵抗パターン４及び配線パターン５を印刷することで形成されている。そして、この抵抗パターン４及び配線パターン５が形成された基板２に光源として用いられるＬＥＤ素子６が実装されている。これら抵抗パターン４、配線パターン５及びＬＥＤ素子６は、配線パターン５の一部を除き、ランプカバー３が取り付けられる位置の下方側に配置されている（図２参照）。
【００１９】
ＬＥＤ素子６は、ランプカバー３の中央付近に対応する基板２上の位置に実装されている。抵抗パターン４は、上方から見た場合にＣ字形状を有し、その内側部分にＬＥＤ素子６が配置されている。配線パターン５は、抵抗パターン４の一端とＬＥＤ素子６とを接続する部分５ａと、ＬＥＤ素子６と外部に配設された不図示の電源（外部電源）とを接続する部分５ｂと、抵抗パターン４の外側に抵抗パターン４よりも大きいＣ字形状を有すると共に、その一端と外部電源とを接続する部分５ｃとを有している。ランプカバー３に取り付けられた端子が抵抗パターン４と配線パターン５の部分５ｃとを接続することでＬＥＤ素子６に電圧が印加されるように構成されている。
【００２０】
ランプカバー３は、基板２から僅かに離間した位置で筐体に回転可能に取り付けられる。ランプカバー３は、基板２に対向する下面を有し、下面の所定位置に端子７が取り付けられている。ランプカバー３が筐体に取り付けられた状態で、基板２上に形成された抵抗パターン４と配線パターン５とが端子７により接続されている。端子７は、それぞれ抵抗パターン４及び配線パターン５に接触する接点７ａ，７ｂを備える（図２参照）。
【００２１】
図３は、ランプカバー３の下面に取り付けられた端子７周辺の拡大図である。図３に示すように、端子７は、基板２に向けて僅かに突出した接点７ａ，７ｂを備えている。ランプカバー３の停止位置に応じて接点７ａが抵抗パターン４と接触する一方、接点７ｂが配線パターン５に接触する。なお、ランプカバー３の下面は、接点７ａなどの抵抗パターン４などとの接触に関わらず、基板２から僅かに離間した位置に配置されている。
【００２２】
ランプカバー３の下面に取り付けられた端子７を介して抵抗パターン４と配線パターン５とを接続することで回路が形成される。図４は、このようにして形成される本ランプユニット１の回路構成を示す図である。図４に示すように、本ランプユニット１は、ＬＥＤ素子６と抵抗パターン４とが直列接続され、ランプカバー３（端子７）の位置に応じて導通状態／非導通状態が切り替えられると共に、回路中の抵抗値が変化するように構成されている。そして、回路中の抵抗値が変化することで、ＬＥＤ素子６に印加される電圧が変化し、ＬＥＤ素子６における光量が変化することとなる。言い換えると、ランプカバー３に対する回転操作により回路上の可変抵抗の抵抗値を変化させることによってＬＥＤ素子６に印加される電圧を変化させ、ＬＥＤ素子６における光量を変化させている。
【００２３】
上述のように、ランプカバー３は、筐体に回転可能に取り付けられる。回転可能に取り付けることができれば、筐体へ取り付けられる態様はいかなる態様であっても良い。また、筐体へ取り付けるに際して、ランプカバー３の形状に変更を加えるようにしても良い。
【００２４】
図５は、ランプカバー３を回転可能に支持する筐体の一例を示す模式図である。図５においては、図１に示すランプカバー３の下面近傍に周方向に延出形成された側縁部３ａを設けた場合について示している。
【００２５】
図５に示すように、筐体８には、その底面部に基板２を収容する収容部８ａと、この収容部８ａから一定間隔を空けてランプカバー３の側縁部３ａを回転可能に支持する溝部８ｂとを備えている。溝部８ｂは、収容部８ａに収容された基板２の上面よりも僅かに上方に形成されている。具体的には、溝部８ｂに側縁部３ａが支持された状態で接点７ａ，７ｂが基板２上の抵抗パターン４及び配線パターン５（図５に図示せず）と接触するような間隔を空けて溝部８ｂが形成されている。例えば、このような筐体８に取り付けられることで、ランプカバー３は回転可能に構成される。
【００２６】
次に、ランプカバー３を回転させた場合のＬＥＤ素子６における光量の変化について説明する。図６は、ランプカバー３を回転させた場合のＬＥＤ素子６における光量の変化について説明するための図である。
【００２７】
図６（ａ）に示す状態では、ランプカバー３の下面に取り付けられた端子７は、ＬＥＤ素子６から最も近い抵抗パターン４の端部（抵抗パターン４と配線パターン５ａとの接続部分）と配線パターン５ｃの一部とを接続している。端子７がこの状態に配置された場合、回路中の抵抗値が最も小さくなる。このため、ＬＥＤ素子６における光量が最も大きくなり、ランプユニット１は最も明るい状態となる。
【００２８】
図６（ａ）に示す状態からランプカバー３を反時計回り方向に回転させ、図６（ｂ）に示す状態に移行したとする。この場合、ランプカバー３を回転させる過程で回路中の抵抗値は次第に大きくなる。このため、ＬＥＤ素子６の光量は、次第に小さくなっていく。なお、図６（ｂ）に示す状態では、ランプカバー３の下面に取り付けられた端子７は、ＬＥＤ素子６から略中間地点に位置される抵抗パターン４の一部と配線パターン５ｃの一部とを接続している。
【００２９】
図６（ｂ）に示す状態からランプカバー３を更に反時計回り方向に回転させ、図６（ｃ）に示す状態に移行したとする。この場合、ランプカバー３を回転させる過程で回路中の抵抗値は更に次第に大きくなる。このため、ＬＥＤ素子６の光量は、次第に小さくなっていく。図６（ｃ）に示す状態では、ランプカバー３の下面に取り付けられた端子７は、ＬＥＤ素子６から最も離れた抵抗パターン４の端部と配線パターン５ｃの一部とを接続している。端子７がこの状態に配置された場合、回路中の抵抗値が最も大きくなる。このため、ＬＥＤ素子６の光量が最も小さくなり、ランプユニット１は最も暗い状態となる。
【００３０】
図６（ｃ）に示す状態からランプカバー３を更に反時計回り方向に回転させ、図６（ｄ）に示す状態に移行したとする。図６（ｄ）に示す状態では、ランプカバー３の下面に取り付けられた端子７は、抵抗パターン４及び配線パターン５のいずれの部分にも接触しておらず、回路は非導通状態となる。このため、ＬＥＤ素子６には電圧が印加されず、ランプユニット１が消灯した状態となる。
【００３１】
本実施の形態に係るランプユニット１では、ランプカバー３を回転操作することでＬＥＤ素子６における光量を変化させる。ここでは、ランプカバー３を反時計回り方向に回転させ、ＬＥＤ素子６における光量を次第に小さくする場合について示している。しかし、これとは逆にランプカバー３を時計回り方向に回転させ、ＬＥＤ素子６における光量を次第に大きくすることが可能であることは言うまでもない。なお、上述のように反時計回り方向に回転させ、ＬＥＤ素子６における光量を次第に小さくする場合には、消灯状態から直ぐに最も明るい状態に移行させることが可能となる。
【００３２】
このように、本実施の形態のランプユニット１においては、基板２上に実装したＬＥＤ素子６を光源として用いると共に、基板２上に形成された抵抗パターン４と配線パターン５とを接続する端子７を備えるランプカバー３を回転させてＬＥＤ素子６の光量を変化させる。従って、従来、光源として用いられたバルブ電球と比べて寿命の長いＬＥＤ素子６を用いるため、光源の交換作業などに要する時間及びコストを低減することが可能となる。また、バルブ電球を使用する場合と比べて光源による発熱量を大幅に低減することができるので、ランプカバー３との距離を短縮すると共に、ランプカバー３を直接触って操作することが可能となる。このため、ランプユニット１自体の小型化を図ると共に、別途設けられたスイッチを操作するよりも感覚的な操作を行うことが可能となる。さらに、ランプカバー３を回転させてＬＥＤ素子６の光量を変化させるので、使用者の必要に応じた光量で照明することが可能となる。このような優れた効果を得ることができるため、特に、車両用室内灯に好適に用いられる。
【００３３】
また、本実施の形態のランプユニット１においては、ＬＥＤ素子６に直接又は間接的に接続される抵抗パターン４及びこの抵抗パターン４に接触する接点７ａを含み、ランプカバー３の回転に応じて抵抗パターン４に対する接点７ａの接触位置を変更することでＬＥＤ素子６に印加される電圧を変化させる。これにより、ランプカバー３の回転に応じてＬＥＤ素子６に印加される電圧を変化させるので、ランプカバー３を回転操作して容易にＬＥＤ素子６における光量を変化させることが可能となる。
【００３４】
なお、本実施の形態のランプユニット１においては、基板２上に抵抗パターン４及び配線パターン５を形成すると共に、ＬＥＤ素子６を実装させる場合について示している。しかし、これに限定されず、例えば、予めフィルム上に印刷された抵抗パターン４及び配線パターン５をインモールド成形によって成形品（例えば、筐体など）に転写して抵抗パターン４及び配線パターン５を形成するようにしても良い。このように変更した場合においても、上述した効果を得ることができる。
【００３５】
以上、本発明に係るランプユニット１の実施の形態について説明したが、本発明は、上記実施の形態に限定されることなく、種々変形することが可能である。上記した実施形態においては、基板２上に抵抗パターン４及び配線パターン５を形成すると共に当該基板２上にＬＥＤ素子６を実装する一方、ランプカバー３の下面に端子７を取り付けた場合について示しているが、抵抗パターン４、配線パターン５、ＬＥＤ素子６及び端子７の配置及びその組み合わせについては、適宜変形することが可能である。
【００３６】
以下、図７〜図１１を参照して本実施の形態に係るランプユニット１の他の構造について説明する。図７〜図１１は、本実施の形態に係るランプユニット１の他の構造の一例を示す図である。なお、各図においては、ランプユニット１のランプカバーを取り付ける前の状態について示している。また、以下の説明においては、上述の実施の形態に係るランプユニット１（図１に示すランプユニット１）と同様の構成要素については、同一の参照符号を付し、その詳細な説明については省略する。
【００３７】
図７に示すランプユニット１は、ＬＥＤ素子６がランプカバー３の下面に取り付けられている点で図１に示すランプユニット１と相違する。基板２上には抵抗パターン４及び配線パターン５のみが形成され、ＬＥＤ素子６には抵抗パターン４に接触する接点７ａ及び配線パターン５に接触する接点７ｂが接続されている。ランプカバー３の回転操作に応じた接点７ａ及び接点７ｂの配置に応じて回路中の抵抗値が変化し、ＬＥＤ素子６の光量が変化するのは図１に示すランプユニット１と同様である。
【００３８】
図８に示すランプユニット１は、抵抗パターン４及び配線パターン５がランプカバー３の下面に形成されると共に、ＬＥＤ素子６がランプカバー３の下面に取り付けられ、また、接点７ａ及び接点７ｂが基板２上に設けられている点で図１に示すランプユニット１と相違する。図８に示すランプユニット１においては、ランプカバー３の回転操作に応じて基板２上に設けられた接点７ａ，７ｂが接触する抵抗パターン４及び配線パターン５の位置に応じて回路中の抵抗値が変化し、ＬＥＤ素子６の光量が変化する。
【００３９】
図９に示すランプユニット１は、抵抗パターン４及び配線パターン５がランプカバー３の下面に形成される一方、接点７ａ及び接点７ｂが基板２上に設けられている点で図１に示すランプユニット１と相違する。図９に示すランプユニット１においては、ランプカバー３の回転操作に応じて基板２上に設けられた接点７ａ，７ｂが接触する抵抗パターン４及び配線パターン５の位置に応じて回路中の抵抗値が変化し、ＬＥＤ素子６の光量が変化する。
【００４０】
図１０に示すランプユニット１は、ＬＥＤ素子６がランプカバー３の下面に取り付けられている点で図１に示すランプユニット１と相違する。基板２上には抵抗パターン４及び配線パターン５のみが形成され、ＬＥＤ素子６には抵抗パターン４に接触する接点７ａ及び配線パターン５に接触する接点７ｂが接続されている。ランプカバー３の回転操作に応じた接点７ａ及び接点７ｂの配置に応じて回路中の抵抗値が変化し、ＬＥＤ素子６の光量が変化するのは図１に示すランプユニット１と同様である。
【００４１】
図１１に示すランプユニット１は、ランプカバー３の下面に、ＬＥＤ素子６が取り付けられると共に、抵抗パターン４が形成され、また、配線パターン５に接触する接点７ｂのみが取り付けられている点で図１に示すランプユニット１と相違する。基板２上には配線パターン５が形成されると共に、抵抗パターン４に接触する接点７ａが設けられている。図１１に示すランプユニット１においては、ランプカバー３の回転操作に応じた接点７ｂの配置と、基板２上に設けられた接点７ａが接触する抵抗パターン４の位置に応じて回路中の抵抗値が変化し、ＬＥＤ素子６の光量が変化する。
【００４２】
以上説明したいずれの構造を有するランプユニット１においても、ＬＥＤ素子６を光源として用いると共に、ランプカバー３の回転操作に応じてＬＥＤ素子６の光量を変化させるので、上述のように、光源の交換作業などに要する時間及びコストを低減すること、ランプユニット１自体の小型化を図ると共に感覚的な操作を行うこと、並びに、使用者の必要に応じた光量で照明することが可能となるという優れた効果を得ることが可能となる。
【００４３】
また、基板２又はランプカバー３の下面に配置されるＬＥＤ素子６、抵抗パターン４、配線パターン５及び端子７を任意に組み合わせて本ランプユニット１を構成することができるので、当該ランプユニット１が搭載される対象物やその位置に応じて柔軟に回路設計を行うことが可能となる。
【００４４】
特に、基板２とランプカバー３の下面とに配置される要素を選別することで、当該ランプユニット１が搭載される対象物などに最適な回路設計を選択することが可能となり、その対象物なども構成に合わせてランプカバー３の回転に応じてＬＥＤ素子６に印加される電圧を簡単に変化させることが可能となる。
【００４５】
本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【産業上の利用可能性】
【００４６】
本発明のランプユニットは、ＬＥＤ素子を光源として用いると共に、ランプカバーの回転に応じてＬＥＤ素子に印加される電圧を変化させるものであり、良好な操作性を確保しつつ小型化を要求すると共に光量の調節を行うことが必要な車両用室内灯などに好適に用いられ、産業上の利用可能性を有する。
【図面の簡単な説明】
【００４７】
【図１】本発明の実施の形態に係るランプユニットの構造の一例を示す図である。
【図２】本発明の実施の形態に係るランプユニットの構造の一例を示す図である。
【図３】上記実施の形態に係るランプカバーの下面に取り付けられた端子周辺の拡大図である。
【図４】上記実施の形態に係るランプユニットの回路構成を示す図である。
【図５】上記実施の形態に係るランプカバーを回転可能に支持する筐体の一例を示す模式図である。
【図６】上記実施の形態に係るランプカバーを回転させた場合のＬＥＤ素子における光量の変化について説明するための図である。
【図７】上記実施の形態に係るランプユニットの他の構造の一例を示す図である。
【図８】上記実施の形態に係るランプユニットの他の構造の一例を示す図である。
【図９】上記実施の形態に係るランプユニットの他の構造の一例を示す図である。
【図１０】上記実施の形態に係るランプユニットの他の構造の一例を示す図である。
【図１１】上記実施の形態に係るランプユニットの他の構造の一例を示す図である。
【符号の説明】
【００４８】
１  ランプユニット
２  プリント配線基板（基板）
３  ランプカバー
４  抵抗パターン
５  配線パターン
６  ＬＥＤ素子
７  端子
７ａ，７ｂ  接点
８  筐体
【図１】
2006302512.tif 000003
【図２】
2006302512.tif 000004
【図３】
2006302512.tif 000005
【図４】
2006302512.tif 000006
【図５】
2006302512.tif 000007
【図６】
2006302512.tif 000008
【図７】
2006302512.tif 000009
【図８】
2006302512.tif 000010
【図９】
2006302512.tif 000011
【図１０】
2006302512.tif 000012
【図１１】
2006302512.tif 000013